(57)【要約】【課題】  高出力のＬＥＤランプは点灯時に高熱を発するため、機器内に装填する場合、ＬＥＤの寿命や周囲に悪影響を及ぼすため熱伝導率の大きな金属を周囲に配していた。【解決手段】  放熱翼を多段に設けた放熱体にランプホルダーを設け、ランプホルダーにＬＥＤソースを装着し、電流制限抵抗器を２本取りつけ、リード線をＬＥＤソースから放熱体内に挿通して設けるもので、これにより高熱に対して十分な保護対策に対応することができた。【選択図】  図１
0003102091.tif 000002
【実用新案登録請求の範囲】
【請求項１】
放熱翼（２）を多段に設けた放熱体（１）にランプホルダー（３）を設けて一体とし、該ランプホルダー（３）にＬＥＤソースＡを装着し、電流制限抵抗器（５）を２本取りつけ、リード線（６）を前記ＬＥＤソースＡから放熱体内に挿通して設けたことを特徴としたＬＥＤランプ。
【請求項２】
ランプホルダー（３）の先端にコアー（１０）及び放熱翼つきの外套（１２）を装着したことを特徴とした請求項１に記載のＬＥＤランプ。
【請求項３】
ランプホルダー（３）の先端に椀状の反射鏡（２０）を装着したことを特徴とした請求項１に記載のＬＥＤランプ。
【請求項４】
ランプホルダー（３）の先端にレンズ（３０）を取付け、さらにその先にコアー（１０）、放熱翼つきの外套（１２）を装着したことを特徴とした請求項１に記載のＬＥＤランプ。
【請求項５】
放熱翼（２）を多段に設けた放熱体（１）にランプホルダー（３）を設けて一体とし、該ランプホルダー（３）にＬＥＤソースＡを装着し、電流制限抵抗器（５）を２本取りつけ、リード線（６）を前記ＬＥＤソースＡから放熱体内に挿通し、該挿通したリード線（６）をネジ付きの口金（４０）に納め、接点（５１）を形成したことを特徴としたＬＥＤランプ。
【考案の詳細な説明】
【技術分野】
【０００１】
本考案は、高出力のＬＥＤランプであって、効率のよい放熱体を一体として設けたＬＥＤランプに関する。
【背景技術】
【０００２】
従来、高出力のＬＥＤランプは点灯時に高熱を発するため、機器内に装填する場合、ＬＥＤの寿命や周囲に悪影響を及ぼすため熱伝導率の大きい金属を周囲に配して機器の保護を目的としている。
【特許文献１】実用新案登録第３０９７３３３号公報
【考案の開示】
【考案が解決しようとする課題】
【０００３】
このためＬＥＤランプの点灯時の高熱による劣化対策と、これに対しての取扱い操作を簡便にすることに留意し、生産性の向上と安全性を図ることを目的とした。
【課題を解決するための手段】
【０００４】
考案者は、この点に鑑み、先にいくつかの改良型のＬＥＤランプを開発して各方面で利用されている。しかし、ＬＥＤランプの性能が進むにつれて、高熱に対しての対策もさらに必要となり本考案に至ったものである。
【０００５】
本考案は放熱体として、アルミ製で放熱翼を多段に設けた放熱体を一体に装着することによって、ＬＥＤランプから放出される高熱に対して十分な保護対策に対応することができた。
【０００６】
またこのＬＥＤランプに反射鏡やレンズを装着することによって、更に照度の高いＬＥＤランプの性能を一層高度なものとして精密機器への装填に適し、機器への点検や保守を容易にした。
【考案の効果】
【０００７】
本考案のＬＥＤランプはアルミ製の放熱翼を多段に、しかも大きく設けることによって、ランプの点灯中の高熱を十分に拡散させることが可能なため、取付け機器に対して安全に装填することができ、機器の点検・保安に十分貢献することが可能となった。
【考案を実施するための最良の形態】
【０００８】
本考案においては請求項１〜５の各項に亘って分解組立図と完成図を示して、本考案のＬＥＤランプの構成を示す。
【実施例】
【０００９】
添付図面により本考案を説明すると、図１は本考案の基体となるＬＥＤランプの説明図であって、（イ）図は、先端にＬＥＤソースＡを設けたＬＥＤランプの全体を表わす側面図であって、このＬＥＤソースＡの基部に放熱翼（２）を多段に設けた放熱体（１）を設けランプホルダー（３）を装着して一体とする。そしてこのランプホルダー（３）にＬＥＤソースＡを装着し、電流制限抵抗器（５）を取付けたリード線（６）を先端のＬＥＤソースＡから放熱体内に挿通して設けた分解図であり、図１の（ロ）図はこの完成図を示している。
【００１０】
図２は請求項２に記載したＬＥＤランプの詳細図であって、請求項１に示した図１のＬＥＤランプの先端にコアー（１０）及び放熱翼（２）を設けた外套（１２）取付けたＬＥＤランプで、図２の（イ）図は組立分解図、（ロ）図は完成図を示す。
【００１１】
図３は請求項３に記載したＬＥＤランプの詳細図であって、図１のＬＥＤランプの先端に椀形の反射鏡（２０）を取付けたＬＥＤランプであって、図３の（イ）図は組立分解図、（ロ）図は完成図である。
【００１２】
また図４は請求項４に記載したＬＥＤランプの詳細図であって、図１のＬＥＤランプの先端にレンズ（３０）及びコアー（１０）、放射鏡（１２）を取付けたＬＥＤランプであって、（イ）図は組立分解図、（ロ）図は完成図を示している。
【００１３】
図５以下は請求項５に記載したネジ付きの口金（５０）を設けたＬＥＤランプの詳細図であって、このようにネジ付きの口金（５０）を設けることによって器機への装填が容易となり、手間が短縮できる。この口金（５０）付きのＬＥＤランプを図示すると、図５の（イ）図は、放熱翼（２）を設けた放熱体（１）に、図１に示すようにＬＥＤソースＡを
挿通し、リード線（６）をネジ付きの口金（５０）内に納めて形成される組立分解図であり、（ロ）図はこの完成図を示している。
【００１４】
図６は、図２に示すＬＥＤランプに口金（５０）を装着したＬＥＤランプであって、（イ）図は組立分解図、（ロ）図は完成図を示す。また図７は椀形の反射鏡（２０）を装着した図３に示すＬＥＤランプに口金（５０）を装着したＬＥＤランプを示していて、（イ）図は組立分解図、（ロ）図は完成図である。さらに図８はレンズ（３０）を設けた図４に示すＬＥＤランプに口金（５０）を装着したＬＥＤランプであって、（イ）図は組立分解図、（ロ）図は完成図を示している。なお、図中の（５１）は口金の接点を示す。
【産業上の利用可能性】
【００１５】
超高輝度のＬＥＤソース（５Ｗ）を円筒形のホルダー及び放熱体に装着して機器組込み用のＬＥＤ光源ランプとして簡単に利用できるようにしたものであって、産業機器、計測機器、医療機器、インテリア照明、アーケードゲーム、アミューズメント施設照明等多目的に使用が可能となる。
【図面の簡単な説明】
【００１６】
【図１】請求項１の実施例図で、（イ）図は組立図、（ロ）図は完成図
【図２】請求項２の実施例図で、（イ）図は組立図、（ロ）図は完成図
【図３】請求項３の実施例図で、（イ）図は組立図、（ロ）図は完成図
【図４】請求項４の実施例図で、（イ）図は組立図、（ロ）図は完成図
【図５】請求項５の実施例図で、（イ）図は組立図、（ロ）図は完成図
【図６】請求項５と請求項２の実施例図を付加した実施例図
【図７】請求項５と請求項３の実施例図を付加した実施例図
【図８】請求項５と請求項４の実施例図を付加した実施例図
【符号の説明】
【００１７】
１  放熱体
２  放熱翼
３  ランプホルダー
５  抵抗器
６  リード線
１０  コアー
１２  外套
２０  反射鏡
３０  レンズ
５０  口金
５１  接点
Ａ  ＬＥＤソース
【図１】
0003102091.tif 000003
【図２】
0003102091.tif 000004
【図３】
0003102091.tif 000005
【図４】
0003102091.tif 000006
【図５】
0003102091.tif 000007
【図６】
0003102091.tif 000008
【図７】
0003102091.tif 000009
【図８】
0003102091.tif 000010